(57)【要約】      （修正有）【課題】何処でも必要な時に簡便に使える腰当てクッションと枕の機能を備えた多用途携帯腰当て具を提供する。【解決手段】腰に貼るように表面部位が当接する平板状の基盤部を設け、基盤部の左右の側面部位が、それぞれ先細状に先方へ延伸した先端部位付近に、基盤部と一体状の耳部を設け、左右の耳部に接合して、左右の耳部の延伸状に、先端部位付近の適宣位置に脱着自在の面ファスナーの締止部を備えた左右のバンド部を設ける。基盤部の裏面部位に、給排気弁を有する栓部を備えた、伸縮性を有する非通気性材料で形成された空気を充填する内部気密空間で、膨縮自在のタンク部を一体状に設けたことを特徴とする多用途携帯腰当て具。【選択図】図１
2019202105.tif 000002
【特許請求の範囲】
【請求項１】
腰に貼るように表面部位が当接する平板状の基盤部を設け、
基盤部の左右の側面部位が、それぞれ先細状に先方へ延伸した先端部位付近に、基盤部と一体状の耳部を設け、左右の耳部に接合して、左右の耳部の延伸状に、先端部位付近の適宣位置に脱着自在の面フアスナーの締止部を備えた左右のバンド部を設ける。
基盤部の裏面部位に、給排気弁を有する栓部を備えた、伸縮性を有する非通気性材料で形成された空気を充填する内部気密空間で、膨縮自在のタンク部を一体状に設けたことを特徴とする多用途携帯腰当て具。
【請求項２】
タンク部の基盤部と接合した外周部位付近に、タンク部の形状を安定的に維持する土台状に縁部位が外側へはみ出したような構成の裾野部を、耳部を含む基盤部の外周に沿った末広がり形状構成にて設けたことを特徴とする請求項１に記載の多用途携帯腰当て具。
【請求項３】
タンク部に、タンク部が膨縮を安定形状でスムースに出来る蛇腹構造の側壁部を、裾野部を除いた、基盤部と座席及び椅子などの背凭れに当接する表面部位との間の壁部位に設けたことを特徴とする請求項１又は２に記載の多用途携帯腰当て具。
【請求項３】
タンク部の、座席及び椅子などの背凭れに当接する表面部位に、滑り止めの凸部を複数設けたことを特徴とする請求項１又は２若しくは３に記載の多用途携帯腰当て具。
【発明の詳細な説明】
【技術分野】
【０００１】  本発明は、自宅及び外出先又は移動時に於いて、座席及び椅子又は座椅子などに長時間座る際に、腰の負担を軽減して楽な姿勢を維持し、更に横になる際には枕になる多用途携帯腰当て具に関するものである。
【背景技術】
【０００２】  従来、自宅及び外出先又は移動時に於いて、座席及び椅子又は座椅子などに長時間座る際に、腰と背凭れの間に用意した各種のクッションを置いて、腰の負担を軽減して楽な姿勢が維持できるようにしていた。
尚、着席時に腰にかかる負担を軽減し、姿勢を正しく維持できる機能を備え、さらに腰痛の改善にも効果のあるベルト付き腰当て器具が知られている（実登文献１参照
【先行技術文献】
【実登文献】
【０００３】
【実登文献１】
実登３１１６８１１号
【発明の概要】
【発明が解決しようとする課題】
【０００４】  従来、自宅及び外出先で、椅子及び座席などに長時間座る、又は移動の車及び列車などに長時間座る際に、腰と背凭れの間に各種のクッションを置いて、腰の負担を軽減して楽な姿勢を維持するには、各種のクッションを持ち運ぶ必要が有り、荷物になるので簡便ではなかった。又、腰と背凭れの間に置く各種のクッションは、使用者の動きに伴ってズレ動いて、不快感が生じていた。
更に、外出先で、畳及びベンチなどに横になって休憩する際に、快適に休むための必須条件である枕を、携帯するのは不可能だった。
本発明は、以上の問題点を解決するためになされたものである。
【課題を解決するための手段】
【０００５】  腰に貼るように表面部位が当接する平板状の基盤部を設け、
基盤部の左右の側面部位が、それぞれ先細状に先方へ延伸した先端部位付近に、基盤部と一体状の耳部を設け、左右の耳部に接合して、左右の耳部の延伸状に、先端部位付近の適宣位置に脱着自在の面ファスナーの締止部を備えた左右のバンド部を設ける。
基盤部の裏面部位に、給排気弁を有する栓部を備えた、伸縮性を有する非通気性材料で形成された空気を充填する内部気密空間で膨縮自在のタンク部を一体状に設ける。
以上の構成よりなる多用途携帯腰当て具。
【発明の効果】
【０００６】  従来不可能とされていた外出先で各種の背凭れを有する座席及び椅子などの全てに対応出来て、何処でも必要時に簡便に使用することを、本発明は可能にし、又、身体にバンドで固定する構成であるが故に、常に的確な位置が保持出来、使用中に腰当て具がズレ動いて生じる不快感を解消し、安定的に腰の負担を軽減して、楽な姿勢を維持することを可能にした。
本発明は、外出先で、畳及びベンチなどに横になって休憩する際に、上等な枕になるので快適に休むことが出来る。
【図面の簡単な説明】
【０００７】
【図１】本発明の斜視図
【図２】本発明の膨縮を示す斜視図
【発明を実施するための形態】
【０００８】  以下、本発明の実施の形態を説明する。
（イ）多用途携帯腰当て具（１）の腰に当接する側に、腰に貼るように表面部位が当接す      る柔軟材質の綿材及び繊維材などで平板状のコルセットの背中側部位のような横幅      ３０ｃｍ位で縦幅１３ｃｍ位（成人男性用）の基盤部（２）を設ける。
（ロ）基盤部（２）の左右の側面部位が、それぞれ先細状に先方へ延伸した形状の先端中      央部位付近に、基盤部（２）と一体状に幅５ｃｍ位の耳部（３）を左右に設ける。
（ハ）左右の耳部（３）に、それぞれ先端部位付近に脱着自在の面ファスナーの締止部（      ６）を備えた、腰に巻いて固定する幅５ｃｍ位で長さ３５ｃｍ位のバンド部（７）      を左右に設ける。
（ニ）基盤部（２）の裏面部位（椅子などの背凭れ側）に、給排気弁を内部に有して空気      の出し入れを自在に調節できる浮袋などと同じ構造機能の栓部（４）を、上部位適      宣位置に備えた、伸縮性を有する合成ゴム材及び天然ゴム材などの非通気性材質で      形成された空気を充填する内部気密空間で、膨縮自在のタンク部（５）を、基盤部      （２）と一体状に接着剤で設ける。
（ホ）タンク部（５）の基盤部（２）と接合した外周部位付近位に、タンク部（５）の形      状を安定的に維持する土台状に縁部位が外側へはみ出したような構成の裾野部（８      ）を、耳部（３）を含む基盤部（２）の外周に沿った末広がり形状構成で設ける。
（ヘ）タンク部（５）に、タンク部（５）が前後の膨縮を安定形状でスムースに出来る蛇      腹構造の側壁部（９）を、裾野部（８）を除く基盤部（２）と座席などの背凭れに      当接する表面部位との間の壁に設ける。
（ト）タンク部（５）の座席及び椅子などの背凭れに当接する表面部位に、タンク部（５      ）と同一材で一体状に、滑り止めの凸部（１０）を適宣位置に複数設ける。
本発明は以上のような構造である。
本発明を使用する時は、栓部（４）よりタンク部（５）内へ、浮袋に空気を入れて膨らませるように、空気を充填する。この時タンク部（５）を手で押さえながら行い、使用者に合った空気圧に調節することで、使い心地が格段に良くなり、長時間楽な姿勢が維持できる。
続いて、基盤部（２）の表面部位を、腰及び背中にかけての適宣部位に貼るように当接させ、左右の手でそれぞれ左右のバンド部（７）を持ち、ズボンのバンドを締める要領で腰に巻き、左右の締止部（６）を腹の前で合わせて接合する。
以上で、本発明の多用途携帯腰当て具（１）の装着は完了である。
後は、従来と同じに、背凭れのある座席及び椅子又はソファーなどに腰掛ける、若しくは座椅子に座ることで、腰の負担を軽減して、楽な姿勢を維持しながら過ごせる。
又、外出する際には、栓部（４）よりタンク部（５）内の空気を全て排出して縮めた状態にし、折り畳む又は巻くなどして、手提げ袋又はバッグなどに入れて携帯する。
本発明の多用途携帯腰当て具（１）は、使用者の腰に装着して使うので、背凭れさえあれば、多種多様の座席及び椅子又は座椅子に対応出来るので、国内旅行は勿論、海外旅行など何処にでも携帯すれば重宝である。
そして、外出先で、畳及びベンチなどで横になって休憩する機会が生じた際に、空気を充填して使用状態にした本発明の多用途携帯腰当て具（１）を、頭の下に置けば（基盤部（２）の表面に頭を載置）、本格的な上等の枕になるので、快適に心地よく休めて、心身のリフレッシュに役立つ。
【符号の説明】
【０００９】１多用途携帯腰当て具、２基盤部、３耳部、４栓部、５タンク部、６締止部、７バンド部、８裾野部、９側壁部、１０凸部
【図１】
2019202105.tif 000003
【図２】
2019202105.tif 000004